(57)【要約】      （修正有）【課題】前枠（扉）の着脱の作業性を低下させることのない扉の開閉支持構造を提供する。【解決手段】内枠のヒンジ板面に設けたヒンジ軸６７を、前枠のヒンジ板部７４ｄに形成した切欠き部７４ｆを通してヒンジ孔７４ｅに挿入し、ヒンジ孔・切欠き部間を閉じることで前枠を内枠に開閉かつ着脱自在とし、ヒンジ孔・切欠き部間の開閉を操作杆８０の操作軸部８０ｂにより進退軸部８０ａを進退動作させて行う構造において、操作杆８０を、操作軸部８０ｂと進退軸部８０ａの間に中間軸部８０ｃを有するクランク状に形成する。中間軸部８０ｃは、先端を進退軸部後端にスプリングピン８０ｄを用いて枢支して後端を操作軸部８０ｂに一体に連結して、操作軸部後端側を、進退軸部側とは反対側に引くことで、中間軸部先端側をスプリングピン８０ｄにより回動可能として進退軸部８０ａを円滑に後退させ、迅速にヒンジ孔・切欠き部間を開けて前枠の着脱を容易に可能とした。【選択図】図７
2008289791.tif 000002
【特許請求の範囲】
【請求項１】
扉取付枠から前方に突出するヒンジ板の板面に突設されたヒンジ軸と、
扉の一側端に設けられたヒンジ板部に開けられ、前記ヒンジ軸が挿入、位置されるヒンジ孔と、
前記ヒンジ軸を前記ヒンジ板部の側方から通して前記ヒンジ孔内に位置決め可能に前記ヒンジ板部の端面から前記ヒンジ孔内に至る切欠き部と、
操作軸部、及び側方への移動が抑止された進退軸部を有し、常時は進退軸部が前記切欠き部の前記ヒンジ孔近傍に位置して前記切欠き部及びヒンジ孔間を閉じ、所望時には操作軸部を操作することにより、進退軸部を後退させて前記切欠き部及びヒンジ孔間を開く操作杆とを、備えた扉の開閉支持構造において、
前記操作杆は、
その操作軸部及び進退軸部間に中間軸部を有するほぼクランク状に形成され、
その中間軸部は、先端が進退軸部の後端に枢支されると共に後端が操作軸部に一体に連結され、
その操作軸部の後端側を、進退軸部側とは反対側に引き操作することにより、中間軸部の先端側を回動させて進退軸部を後退させ、前記切欠き部及びヒンジ孔間を開くように構成されたことを特徴とする扉の開閉支持構造。
【請求項２】
前記操作杆の中間軸部の先端を進退軸部の後端に枢支する軸にスプリングピンが用いられることを特徴とする請求項１に記載の扉の開閉支持構造。
【請求項３】
扉は遊技領域が形成された遊技盤が装着されるパチンコ機の内枠の、前記遊技盤の装着領域を開閉自在に覆う前扉であり、扉取付枠は前記内枠であることをことを特徴とする請求項１又は２に記載の扉の開閉支持構造。
【発明の詳細な説明】
【技術分野】
【０００１】
本発明は、扉の着脱を簡単に行い得る扉の開閉支持構造に関するものである。
【背景技術】
【０００２】
従来、この種の技術としては特許文献１に記載のものがあった。
これは、パチンコ機のガラス枠（前枠あるいは前扉とも称される）についての開閉支持構造であるが、以下のように構成されている。すなわち、内枠（扉取付枠）から突出する上ヒンジ板の板面に突設されたヒンジ軸と、ガラス枠の一側端に設けられた上板部（ヒンジ板部）に開けられ、前記ヒンジ軸が挿入、位置される溝部（ヒンジ孔）と、前記ヒンジ軸を前記上板部の側方から通して前記溝部内に位置決め可能に前記上板部の端面から前記溝部内に至る開口部（切欠き部）とを備える。
そして、操作部（操作軸部）、及び側方への移動が抑止されたストッパー軸部（進退軸部）を有し、常時はストッパー軸部が前記溝部の開口部に位置して前記溝部を閉じ、所望時には操作部を操作することにより、ストッパー軸部を後退させて前記溝部を開くストッパー軸（操作杆）とを備えてなるものである。
【０００３】
【特許文献１】特開２００５−２０４８５１号公報
【発明の開示】
【発明が解決しようとする課題】
【０００４】
上記従来技術によれば、ストッパー軸の操作によって溝部に対するヒンジ軸の着脱を溝部側方から行えるようになる。したがって、ヒンジ軸を円形孔の位置に合わせ、その円形孔内に挿通することによってのみヒンジ軸が軸支される構造に比べて、ヒンジ軸の着脱、つまりガラス枠の着脱が極めて容易になるという利点がある。
しかしながら上記従来技術では、操作部の長さ（ストッパー軸の横方向の長さ）が長くなると、操作部の操作時（押下げ時）にストッパー軸部の上端側の横ブレが大きくなり、ストッパー軸部とこの軸部が挿通された円形孔との間でこじれが生じる。このため、ストッパー軸部の上下動が円滑に行われず、その操作性を著しく低下させ、ひいてはガラス枠の着脱の作業性を低下させた。
【０００５】
図２１〜図２４に、操作部が長くなると、その押下げ操作時にストッパー軸部の上端側の横ブレが大きくなる様子を示す。各図において、１８０，１８８は円形孔、２０６はストッパー軸部、２０８は操作部、矢印ウは操作部２０８、ストッパー軸部２０６の動きを示す。また、図２１、図２３は押下げ操作前の状態、図２２、図２４は押下げ操作時の状態を示す。
図２１、図２２は、操作部２０８の長さが適正であって、その押下げ操作時に、ストッパー軸部２０６の上端側の横ブレが生じていない様子を示す。図２１、図２２を対照して分かるように、操作部２０８の押下げ操作時において、ストッパー軸部２０６は横ブレなくほぼ垂直に下降している。
図２３、図２４は、操作部２０８の長さが長くなった場合であって、その押下げ操作時に、ストッパー軸部２０６の上端側の横ブレが大きくなった様子を示す。図２３、図２４を対照して分かるように、操作部２０８の押下げ操作において、操作部２０８及びストッパー軸部２０６が共に傾く。このためストッパー軸部２０６は大きく横ブレし、円孔７４ｉ，１８８に接触してこじれが生じ、強く押し下げなければ下降しない等、円滑な下降が望めなくなった。
【０００６】
ここで、操作部が長くなる理由について説明する。
操作部の長さは様々な理由で長くなると考えられるが、パチンコ機の場合を例にとって説明する。すなわちパチンコ機においては、近年、そのガラス枠における装飾が益々豪華になって来ている。最近では、平面的な装飾にとどまらず、立体的な装飾、つまり、ガラス枠における装飾を前面側（遊技者側）にせり出させて迫力のある装飾を行う傾向も出てきた。
装飾を前面側にせり出すと、ガラス枠全体の厚み（前後方向の寸法）は大幅に増大する。このため、ガラス枠の軸支位置が従来のままであるると、ガラス枠を開こうとしたときにその軸支側端縁が内枠の側端部に衝突して開けなくなる。ガラス枠の軸支位置、つまり上記ヒンジ軸の位置を、ガラス枠の厚みの増大に応じて前方（遊技者側）に移せば上記衝突が回避でき、上記装飾の前面側へのせり出しが可能となる。換言すれば、上記装飾の前面側へのせり出しを可能にするためには、上記ヒンジ軸の位置を前方に移す必要があり、このため、上記操作部２０８の長さが増すことになった。
【０００７】
本発明は、上記のような実情に鑑みなされたもので、操作軸部（操作部）から進退軸部（ストッパー軸部）までの長さが長くなっても、進退軸部を円滑に下降させ得、扉（ガラス枠）の着脱の作業性を低下させることのない扉の開閉支持構造を提供することにある。
【課題を解決するための手段】
【０００８】
上記課題を解決するための手段を以下に述べる。
各手段は、項に区分し、各項に番号を付し、必要に応じて他の項の番号を引用する形式で記載する。これは、本発明の理解を容易にするためであって、本明細書に記載の技術的特徴が以下の各項に記載のものに限定されるものではない。
以下の各手段のうち、（１）項が請求項１に、（２）項が請求項２に、（３）項が請求項３に、各々対応する。
【０００９】
（１） 扉取付枠から前方に突出するヒンジ板の板面に突設されたヒンジ軸と、扉の一側端に設けられたヒンジ板部に開けられ、前記ヒンジ軸が挿入、位置されるヒンジ孔と、前記ヒンジ軸を前記ヒンジ板部の側方から通して前記ヒンジ孔内に位置決め可能に前記ヒンジ板部の端面から前記ヒンジ孔内に至る切欠き部と、操作軸部、及び側方への移動が抑止された進退軸部を有し、常時は進退軸部が前記切欠き部の前記ヒンジ孔近傍に位置して前記切欠き部及びヒンジ孔間を閉じ、所望時には操作軸部を操作することにより、進退軸部を後退させて前記切欠き部及びヒンジ孔間を開く操作杆とを、備えた扉の開閉支持構造において、前記操作杆は、その操作軸部及び進退軸部間に中間軸部を有するほぼクランク状に形成され、その中間軸部は、先端が進退軸部の後端に枢支されると共に後端が操作軸部に一体に連結され、その操作軸部の後端側を、進退軸部側とは反対側に引き操作することにより、中間軸部の先端側を回動させて進退軸部を後退させ、前記切欠き部及びヒンジ孔間を開くように構成されたことを特徴とする扉の開閉支持構造。
（２） 前記操作杆の中間軸部の先端を進退軸部の後端に枢支する軸にスプリングピンが用いられることを特徴とする（１）項に記載の扉の開閉支持構造。
（３） 扉は遊技領域が形成された遊技盤が装着されるパチンコ機の内枠の前記遊技盤の装着領域を開閉自在に覆う前扉であり、扉取付枠は前記内枠であることをことを特徴とする（１）項又は（２）項に記載の扉の開閉支持構造。
【発明の効果】
【００１０】
（１）項に記載の発明によれば、操作軸部から進退軸部までの長さが長くなっても、進退軸部を円滑に下降させ得、扉の着脱の作業性を低下させることのない扉の開閉支持構造を提供できる。
（２）項に記載の発明によれば、操作軸部の操作に支障を与えることなく、操作軸部の非操作時における操作杆（特にその中間軸部、操作軸部）のがたつきを防止できる。
（３）項に記載の発明によれば、パチンコ機の前扉（前枠；ガラス枠）において（１）項及び（２）項に記載の発明の効果を得ることができる。
【発明を実施するための最良の形態】
【００１１】
以下、本発明の実施の形態を図面に基づき説明する。なお、各図間において、同一符号は同一又は相当部分を示す。
図１は、本発明による扉の開閉支持構造が適用されたパチンコ機の一例を示す正面図、図２は同上パチンコ機の内枠及び前枠を開いた状態の概略を示す斜視図である。
図１、図２は、パチンコ機において、前枠の内枠への開閉支持構造に本発明が適用された場合を例示する。この場合、前枠は本発明構造における扉に、内枠は同じく扉取付枠に相当する。
これらの図において、１２は島と呼ばれるパチンコ機設置場所への取り付けに用いられる外枠２である。
この外枠１２の前面側には、窓部（後述する遊技盤の装着領域）を有するほぼ額縁状の内枠１４が、その図中左側部上下が外枠１２の左側部上下において各々軸支されることにより、その右側を開閉自在に取り付けられている。
【００１２】
また、内枠１４の前面側には、前枠（ガラス枠あるいは前扉とも称される）２０が、その図１における左側部（図２においては右側部）上下が内枠１４の左側部上下にて各々軸支されることにより、その右側（図２においては左側）を開閉自在に取り付けられている。前枠２０の開閉支持構造の詳細は後述する。
この前枠２０には、透光性を有する板体が装着された透光板フレーム、通常、透明ガラス板１６が装着されたガラス板フレーム１８が取り付けられている。
前枠２０と内枠１４とは、内枠１４の右側部下方に設けられた施錠装置（シリンダ錠）２２によって施錠可能とされている。
【００１３】
前枠２０の下方には、賞球払出装置（図示せず）から賞球払出口２３を通して払い出された賞球や貸球を貯留して球発射装置（図示せず）へと誘導する球皿部２４を備える皿ユニット２６が、その左側部にて内枠１４に開閉自在に取付けられている。皿ユニット２６の前面下部には、左側に灰皿２８が、右側に発射ハンドル３０が取り付けられている。発射ハンドル３０は、上記球発射装置から遊技球の発射を行わせ、また発射強度を操作するためのハンドルである。
【００１４】
内枠１４の窓部には、この窓部を塞ぐように遊技盤３２が装着される。本実施形態では、遊技盤３２は窓部に着脱自在（交換可能）に装着される。
遊技盤３２は、ベニヤ板３３の表面に合成樹脂からなるシート状のセル３４が貼着されてなり、盤面３２ａには、外レール３６及び内レール３７とレール飾り３８、３９とで囲まれたほぼ円形状の遊技領域４０が形成されている。
【００１５】
遊技領域４０には、図柄表示装置４２や大入賞口４４、始動入賞口４６や一般入賞口４８、風車５０、あるいはサイド飾り５２ａ、５２ｂ等の遊技領域構成部材が設けられている。遊技領域構成部材としては、他に、遊技領域４０の最下位置にアウト口５４が配設されていると共に、多数の遊技釘（図示せず）が打ち込まれている。
盤面３２ａの少なくとも遊技領域４０は、前枠２０が内枠１４に閉じられた時、前枠２０の正面側（パチンコ機正面側）から透明ガラス板１６を通して透視可能である。
【００１６】
前枠２０は、その前面に、半透明の樹脂板で表面を覆った装飾６０が、透明ガラス板１６の周囲を囲む位置において前方（遊技者側）に大きくせり出した状態で備えられている。装飾６０内には、遊技の効果音（合成音声を含む）を出力するスピーカ６１が配設され、また、３色ＬＥＤ等のランプ（図示せず）が複数箇所に配設されている。
【００１７】
本実施形態のパチンコ機は、球発射装置を遊技盤３２の左側下方に配置して遊技球を上方に発射する機種である。この球発射装置へは、皿ユニット２６の球皿部２４に貯留された遊技球が一列に整列されて１個ずつ供給される。球発射装置へ供給された遊技球は、遊技者による発射ハンドル３０の時計回り方向の回動操作によって球発射装置から打ち出され、レール３６、３７に案内されて遊技領域４０内に送り込まれる。
遊技領域４０内に送り込まれた遊技球は、その遊技領域４０内において遊技釘、風車５０等の障害物に衝突しながら流下し、その途中において一般入賞口４８、始動入賞口４６あるいは大入賞口４４に入賞し、あるいは入賞することなく更に流下する。入賞しなかった遊技球は最終的にアウト口５４から回収される。
【００１８】
遊技球の入賞が、一般入賞口４８や始動入賞口４６か、あるいは大入賞口４４かによって球皿部２４に払い出される賞球数が異なる。例えば、一般入賞口４８や始動入賞口４６に入賞すれば５個、大入賞口４４に入賞すれば１５個というように設定されており、払い出される賞球数は大入賞口４４に入賞する方が多い。
【００１９】
遊技球が始動入賞口４６に入賞すると、図柄表示装置４２は図柄の変動表示を開始する。変動開始後、所定時間が経過して停止したときの図柄（停止図柄）が大当たりであれば、大入賞口４４を開放させる。大入賞口４４は開口幅が広く、また所定の条件を満たせば最高１５回までというように、複数回繰り返されるので、この間に得られる賞球数は大当たりにならなかった場合に比べて著しく多くなる。
【００２０】
このようなパチンコ機は、大量に生産、搬送、設置され、あるいは回収される。したがって、これらの便宜から、また設置後におけるパチンコ機の調整、修理等の便宜からも、内枠１４は外枠１２に、前枠２０は内枠１４に、各々開閉自在かつ着脱自在に構成されている。特に前枠２０は、破損しやすい透明ガラス板１６が取り付けられることや、内枠１４から開きあるいは離脱することによって盤面３２ａを直接露出させることができ、その調整、修理がし易くなること等から、内枠１４に開閉自在かつ着脱自在に構成される意義は大きい。また、内枠１４を外枠１２から開いて、遊技盤裏面側の種々の回路部や装置部の調整、修理をする場合において、前枠２０を内枠１４に対して着脱自在であればそれら作業はし易くなる。
これらは、内枠１４に対する前枠２０の着脱の頻度が高いことを意味し、したがって、その着脱が簡単に行えることはパチンコ機の構成上、重要となる。しかも、前枠２０が装飾６０等により前面側（遊技者側）に大きくせり出すようになってきたため、その軸支箇所が前方に移される場合でも、内枠１４に対して前枠２０を簡単に着脱できることが望まれるもので、これを満たす前枠２０の開閉支持構造の一実施形態を図２〜図２０を参照して詳細に説明する。
【００２１】
図２中のほぼ四角枠形の斜線部６４は、前枠２０の骨組みをなすフレームの配置位置を示し、図３はそのフレーム７０の一例を裏面側から示す。
図３に示すように、フレーム７０は、ほぼ四角形の枠体からなり、その各辺を形成する、鉄板等の金属材からなる第１〜第４の４つのフレーム部材７１〜７４を連結してなる。このうち、前枠２０の軸支側端部（前枠正面から見て左側端部、図２、図３においては右側端部）に対応する第４フレーム部材７４の上部、及び内枠１４の軸支側端部（図２中の左側端部）の上部相互間に本実施形態に係る開閉支持構造が適用されている。
【００２２】
図４、図５及び図６は、上記第４フレーム部材７４の裏面図、同裏面図に示す第４フレーム部材７４の左側面図及び同左側面図第４フレーム部材７４の上面図である。また、図７は図５の要部拡大図、図８は図６の要部拡大図である。
図５に示すように、第４フレーム７４の下端部には、前枠２０の前面側（図中左側）へ略直角に曲げ形成された下ヒンジ板部７４ａが設けられ、この下ヒンジ板部７４ａにはヒンジ孔７４ｂが形成されている。また、図２に示す内枠１４の軸支側端部の下部には下ヒンジ板６５が取り付けられており、下ヒンジ板６５の上面には上方に向けてヒンジ軸（図示せず）が突設されている。この下ヒンジ板６５のヒンジ軸を、図５に示す第４フレーム７４の下ヒンジ板部７４ａのヒンジ孔７４ｂに挿通することで、前枠２０の軸支側端部の下部は内枠１４に軸支される。
【００２３】
一方、第４フレーム７４の上端部には、図５〜図８に示すように、前枠２０の前面側へ略直角に曲げ形成された上ヒンジ基板部７４ｃから、更に曲げ形成された上ヒンジ板部７４ｄが設けられ、この上ヒンジ板部７４ｄにはヒンジ孔７４ｅが形成されている。このヒンジ孔７４ｅは、真上から見たときに上記ヒンジ孔７４ｂと同じ位置に形成されている。
また、内枠１４（図２参照）の軸支側端部の上部には上ヒンジ板６６が取り付けられており、上ヒンジ板６６の下面にはヒンジ軸６７が下方に向けて突設されている。この上ヒンジ板６６のヒンジ軸６７を、第４フレーム７４の上ヒンジ板部７４ｄのヒンジ孔７４ｅに挿通することで、前枠２０の軸支側端部の上部は内枠１４に軸支される。
ここで、上ヒンジ板部７４ｄには、上記ヒンジ軸６７を上ヒンジ板部７４ｄの側方（図中、右側）から通してヒンジ孔７４ｅ内に挿入、位置決め可能に、その端面（図５及び図６中、右側端面）からヒンジ孔７４ｅ内に至る切欠き部７４ｆが形成されている。この切欠き部７４ｆは、ヒンジ軸６７をヒンジ孔７４ｅ内に挿入、位置決めされる際のガイドとしても機能するようにヒンジ孔７４ｅにその頂点を向けたほぼ三角形に形成されている。
【００２４】
上ヒンジ基板部７４ｃを挟んで上ヒンジ板部７４ｄとは反対の下方側には、上ヒンジ基板部７４ｃの端からＬ字状に曲げ形成されて、上ヒンジ板部７４ｄとでコ字状をなす下板部７４ｇが設けられている。
上ヒンジ基板部７４ｃ、下板部７４ｇには、上方から見たときに切欠き部７４ｆ内のヒンジ孔７４ｅ近傍部分と重なる位置に円孔７４ｈ、円孔７４ｉが形成されている。つまり、円孔７４ｈ、円孔７４ｉは同軸的に配置されている。
【００２５】
また、図５、図７に示すように、同軸的に配置された下板部７４ｇの円孔７４ｉ及び上ヒンジ基板部７４ｃの円孔７４ｈには、操作杆８０の進退軸部８０ａが挿通されている。
そして、第４フレーム７４の上端から少し下がった位置には、略矩形状に形成された開口部７４ｊが形成されている。操作杆８０の中間軸部８０ｃは上記開口部７４ｊ内に挿通され、この中間軸部８０ｃ一体の操作軸部８０ｂは第４フレーム７４の外側（図５、図７中、右側）にてが垂下された状態となっている。
【００２６】
このような操作杆８０（進退軸部８０ａ、操作軸部８０ｂ及び中間軸部８０ｃ）の詳細を以下に述べる。
図９、図１０及び図１１は、操作杆８０を取り出して示す図で、図９は側面図、図１０は図９に示す操作杆８０を左側から見た図、図１１は斜視図である。
図示するように、操作杆８０は、進退軸部８０ａ及び操作軸部８０ｂを備え、かつ、それらの間に中間軸部８０ｃを有するほぼクランク状に形成されている。中間軸部８０ｃは、図２に示すように、前枠２０が装飾６０等により前面側に大きくせり出してきて、操作杆８０の操作軸部８０ｂから進退軸部８０ａまでの長さが長くなる場合に、その長さを確保する。
この中間軸部８０ｃは、先端が進退軸部８０ａの後端（図中、下端）に枢支されると共に、後端が操作軸部８０ｂに一体に連結、本実施形態では共通の一部材により操作軸部８０ｂと一体に形成されている。そして、操作軸部８０ｂの後端（図中、下端）側を、進退軸部８０ａ側とは反対側、つまり操作者から見て手前側に引く（引き操作する）ことにより、中間軸部上方に位置する後述支点部材を支点として中間軸部８０ｃ先端側を下方側に回動させ、進退軸部８０ａを後退（図中、下方に移動）させるように構成されている。これにより、図６、図８に示す切欠き部７４ｆ及びヒンジ孔７４ｅ間は開く。
上記中間軸部８０ｃの進退軸部８０ａへの枢支は、波形スプリングピン等のスプリングピン８０ｄを用いてなされている。
【００２７】
具体的には、この操作杆８０は、軸径が図５〜図７に示す円孔７４ｈ，７４ｉの内径よりも僅かに小径とされており、その進退軸部８０ａの上部には、進退軸部８０ａの先端（図中、上端）から所定寸法下がった位置に環状溝８０ｅ（図９〜図１１参照）が形成されており、この環状溝８０ｅには、Ｅリング８１が嵌着されている。
このＥリング８１は、操作杆８０の進退軸部８０ａが円孔７４ｈ，７４ｉに挿通された状態において、図５、図７に示すように、上ヒンジ基板部７４ｃの下側に配置されている。
また、このＥリング８１と下板部７４ｇとの間には、進退軸部８０ａに挿通され、操作杆８０が、非操作時において図５、図７に示す姿勢を保持する程度に、Ｅリング８１（操作杆８０）を上方に付勢するように圧縮されたコイルスプリング８２が配置されている。
また、第４フレーム７４の上端から少し下がった位置には、図４に示すように略矩形状に形成された開口部７４ｊが、その上側開口端縁を操作杆８０の操作時において支点部材として機能させるように形成されている。そして、この開口部７４ｊ内を操作杆８０の中間軸部８０ｃが挿通されて操作軸部８０ｂが垂下された状態とされており、操作軸部８０ｂを、コイルスプリング８２の付勢力に抗して上記のように引き操作をすることにより、進退軸部８０ａの上端が上ヒンジ基板部７４ｃの円孔７４ｈから下方に抜けない程度の距離だけ下方に移動するように構成されている。これにより、図６、図８に示す切欠き部７４ｆ及びヒンジ孔７４ｅ間は開く。
【００２８】
図１２〜図１５は、第４フレーム部材７４に組み込まれた上記操作杆８０を、その操作軸部８０ｂが引き操作されている状態にて示す図で、図１２は裏面図、図１３は同裏面図に示す操作杆８０の上面図である。また、図１４は図１２の要部拡大図、図１５は図１３の要部拡大図である。
図１６及び図１７は、操作杆８０の非操作時及び操作時における操作杆８０各部の姿勢を模式的に示した図である。
図１２、図１４及び図１７中の矢印ア，イは、操作杆８０の操作軸部８０ｂ、進退軸部８０ａの移動方向を示す。
これらの図から分かるように、操作杆８０の操作軸部８０ｂの矢印ア方向への引き操作により、進退軸部８０ａは矢印イに示すように下方にほぼ垂直に移動、つまり、円滑に下降する。これは、中間軸部８０ｃの先端と進退軸部８０ａの下端とが枢支されているからであるが、本実施形態では、更に、この枢支にスプリングピン８０ｄを用いているので、操作杆８０の非操作時において、中間軸部８０ｃと進退軸部８０ａとの枢支部ががたつくことはない。
【００２９】
なお、ヒンジ孔７４ｅに対するヒンジ軸６７を挿脱後は、操作軸部８０ｂから手を離すだけで、つまり、コイルスプリング８２の復元作用によって、図５〜図８に示す非操作状態に自動復帰する。
また、ヒンジ孔７４ｅ内にヒンジ軸６７を挿通（位置）させた後に、操作軸部８０ｂから手を離せば、上記のようにコイルスプリング８２の復元作用によって操作杆８０の進退軸部８０ａが切欠き部７４ｆ及びヒンジ孔７４ｅ間を閉じる。これにより、ヒンジ軸６７のヒンジ孔７４ｅからの離脱が阻止され、図２に示す前枠２０は内枠１４から脱落しない。
【００３０】
図１８〜図２０は、ヒンジ孔７４ｅ内にヒンジ軸６７を挿通させるときから、進退軸部８０ａが切欠き部７４ｆ及びヒンジ孔７４ｅ間を閉じるまで間の、ヒンジ軸６７と進退軸部８０ａの動きを示す図で、以下、各図を参照してヒンジ軸６７と進退軸部８０ａの動きについて説明する。
まず、ヒンジ軸６７を図１８中の矢印エに示すように移動させ、実際には図２に示す前枠２０を動かしてヒンジ孔７４ｅ側を移動させ、図１９に示すように、ヒンジ軸６７がヒンジ孔７４ｅ内に入った後に、操作杆８０の操作軸部８０ｂ（図１２、図１４参照）から手を離す。すると、図２０に示すように、進退軸部８０ａが切欠き部７４ｆ及びヒンジ孔７４ｅ間を上記コイルスプリング８２（図５、図７参照）の復元作用によって閉じる。これにより、ヒンジ軸６７のヒンジ孔７４ｅからの離脱が阻止され、図２に示す前枠２０は内枠１４から脱落しない。
【００３１】
上述した本実施形態の効果について、図２、図４、図９及び図１４を参照して以下に述べる。
本実施形態では、操作杆８０を、進退軸部８０ａ、操作軸部８０ｂ及び中間軸部８０ｃを有してほぼクランク状に形成し、中間軸部８０ｃと進退軸部８０ａとをスプリングピン８０ｄを用いて枢着した。
したがって本実施形態によれば、図２に示すように前枠２０が装飾６０等により前面側（遊技者側）に大きくせり出してきて、操作杆８０の操作軸部８０ｂから進退軸部８０ａまでの長さが長くなっても、操作軸部８０ｂの矢印ア方向への引き操作時、進退軸部８０ａは矢印イに示すように下方にほぼ垂直に、したがって円滑に、下降する。すなわち、切欠き部７４ｆ及びヒンジ孔７４ｅ間を円滑に開くことができ、ヒンジ軸６７の、上ヒンジ板部７４ｄの側方からのヒンジ孔７４ｅ内への挿脱、つまり、前枠２０の内枠１４に対する着脱を迅速、簡単に行い得る。
しかも本実施形態によれば、中間軸部８０ｃの先端と進退軸部８０ａの下端との枢支にスプリングピン８０ｄを用いたので、操作杆８０の非操作時において、中間軸部８０ｃと進退軸部８０ａとの枢支部ががたつくことがないという効果もある。
【００３２】
なお上述実施形態では、パチンコ機の内枠の遊技盤装着領域を覆う前枠（前扉）について、その上部軸支箇所に本発明を適用した場合について説明したが、前枠の下部軸支箇所に本発明を適用してもよい。また、パチンコ機以外の扉（枠）の開閉支持構造に本発明を適用してもよい。
パチンコ機の前枠の下部軸支箇所に本発明を適用する場合には、上述実施形態における上ヒンジ板は下ヒンジ板に置き換えられるが、この下ヒンジ板のヒンジ軸の突設面には大きな荷重がかかるので、これを支える手段を設けることが望まれる。
【図面の簡単な説明】
【００３３】
【図１】本発明が適用されたパチンコ機の一例を示す正面図である。
【図２】同上パチンコ機の内枠及び前枠を開いた状態の概略を示す斜視図である。
【図３】同上パチンコ機の前枠裏面に配設されるフレームの一例を裏面側から示す図である。
【図４】図３中の第４フレーム部材の裏面図である。
【図５】図４に示す第４フレーム部材の左側面図である。
【図６】図５に示す第４フレーム部材の上面図である。
【図７】図５に示す第４フレーム部材の要部拡大図である。
【図８】図６の拡大図である。
【図９】図４〜図８中の操作杆を取り出して示す側面図である。
【図１０】図９に示す操作杆を左側から見た図である。
【図１１】同上操作杆の斜視図である。
【図１２】図５に示す第４フレーム部材及び操作杆部分を操作杆操作状態にて示す図である。
【図１３】図６に示す第４フレーム部材及び操作杆部分を操作杆操作状態にて示す図である。
【図１４】図１２に示す第４フレーム部材及び操作杆部分の要部拡大図である。
【図１５】図１３の拡大図である。
【図１６】非操作時における操作杆各部の姿勢を模式的に示した図である。
【図１７】操作時における操作杆各部の姿勢を模式的に示した図である。
【図１８】操作杆の進退軸部が切欠き部及びヒンジ孔間を閉じるまでのヒンジ軸及び進退軸部の動きを説明するための図（その１）である。
【図１９】操作杆の進退軸部が切欠き部及びヒンジ孔間を閉じるまでのヒンジ軸及び進退軸部の動きを説明するための図（その２）である。
【図２０】操作杆の進退軸部が切欠き部及びヒンジ孔間を閉じるまでのヒンジ軸及び進退軸部の動きを説明するための図（その３）である。
【図２１】従来構造において操作部が長くなる場合の不具合を説明するための図（その１）である。
【図２２】従来構造において操作部が長くなる場合の不具合を説明するための図（その２）である。
【図２３】従来構造において操作部が長くなる場合の不具合を説明するための図（その３）である。
【図２４】従来構造において操作部が長くなる場合の不具合を説明するための図（その４）である。
【符号の説明】
【００３４】
１４：内枠、２０：前枠、６６：上ヒンジ板、６７：ヒンジ軸、７４ｄ：上ヒンジ板部、７４ｅ：ヒンジ孔、７４ｆ：切欠き部、８０：操作杆、８０ａ：進退軸部、８０ｂ：操作軸部、８０ｃ：中間軸部、８０ｄ：スプリングピン。
【図１】
2008289791.tif 000003
【図２】
2008289791.tif 000004
【図３】
2008289791.tif 000005
【図４】
2008289791.tif 000006
【図５】
2008289791.tif 000007
【図６】
2008289791.tif 000008
【図７】
2008289791.tif 000009
【図８】
2008289791.tif 000010
【図９】
2008289791.tif 000011
【図１０】
2008289791.tif 000012
【図１１】
2008289791.tif 000013
【図１２】
2008289791.tif 000014
【図１３】
2008289791.tif 000015
【図１４】
2008289791.tif 000016
【図１５】
2008289791.tif 000017
【図１６】
2008289791.tif 000018
【図１７】
2008289791.tif 000019
【図１８】
2008289791.tif 000020
【図１９】
2008289791.tif 000021
【図２０】
2008289791.tif 000022
【図２１】
2008289791.tif 000023
【図２２】
2008289791.tif 000024
【図２３】
2008289791.tif 000025
【図２４】
2008289791.tif 000026